(57)【特許請求の範囲】
【請求項１】
略三角形の盤状体であって、盤面が多孔性の凹部に形成され、切頭頂部を有し、該切頭頂部にフック又はこれに類似した金具が埋設されてなるプレキャストコンクリートブロックの複数個を、それらの各辺部を接触させ、規則正しく縦横に配列して各プレキャストコンクリートブロックの切頭頂部が放射状に配置されてそれらの中心に空間部が形成されるようにし、前記空間部内において各ブロックの切頭頂部と連結する連結部材を環状に配設し、該連結部材を引き締めることで各ブロックが互いに前記空間部の中心に引き寄せられるように連結した護岸・護床用プレキャストコンクリートブロックの連結構造であって、
連結部材が前記フック又はこれに類似した金具に係合するチェーンからなり、その両端部をシャックルで連結したことを特徴とする護岸・護床用プレキャストコンクリートブロックの連結構造。
【請求項２】
略三角形の盤状体であって、盤面が多孔性の凹部に形成され、切頭頂部を有し、該切頭頂部にフック又はこれに類似した金具が埋設されてなるプレキャストコンクリートブロックの複数個を、それらの各辺部を接触させ、規則正しく縦横に配列して各プレキャストコンクリートブロックの切頭頂部が放射状に配置されてそれらの中心に空間部が形成されるようにし、前記空間部内において各ブロックの切頭頂部と連結する連結部材を環状に配設し、該連結部材を引き締めることで各ブロックが互いに前記空間部の中心に引き寄せられるように連結した護岸・護床用プレキャストコンクリートブロックの連結構造であって、
連結部材が前記フック又はこれに類似した金具に係合するワイヤ又はロープからなり、その両端部をシャックルで締結したことを特徴とする護岸・護床用プレキャストコンクリートブロックの連結構造。
【発明の詳細な説明】
【０００１】
【発明の属する技術分野】
この発明は護岸・護床用プレキャストコンクリートブロックの連結構造に関するもので、河川の堤防法面や河床を覆うコンクリートブロック相互の連結強度の向上を図り、法面や河床の破壊・損傷を防止するものである。
【０００２】
【従来の技術】
河川の堤防法面や河床を保護するために、護岸・護床用プレキャストコンクリートブロックが用いられることが多い。護岸・護床用プレキャストコンクリートブロックは、通例、四角形や五角形又は六角形等の幾何学的な板状体であったが、近時、自然石のような不定形をした板状体のものが多く採用される傾向にあり、河川の堤防法面や河床をなるべく自然に近い形で保護しようとしている。
【０００３】
しかして、河川の堤防法面や河床は常に水流に侵される環境であることを前提としなければならないから、法面や河床を覆う護岸・護床用プレキャストコンクリートブロック相互の連結構造が重要である。
【０００４】
護岸・護床用プレキャストコンクリートブロック相互の連結をすることにより、水流による局所洗掘が誘発する抑え土圧の低下又は空洞の発生による破壊、流体力によるブロックの移動・流出、流体力によるめくれ破壊、吸い出し破壊、残留水による破壊、又は、天端からの侵食破壊を防止する。
【０００５】
その連結構造としては、コンクリートブロックにフック金具又はループ金具を埋設して形成し、護岸・護床施工時に隣接させたフック金具又はループ金具をシャックル又は金属線等で連結し、又は、コンクリートブロックにインサートを埋設して形成し、そのインサートにボルトを螺入せしめたものをジョイントとして用いるなどの工夫がなされている。
【０００６】
【発明が解決しようとする課題】
しかしながら、前記従来の護岸・護床施工におけるコンクリートブロック相互の連結構造では、ブロック相互に緩みが生じ易く、それが局所的に水流を受けて全体の破壊を誘発するという面があり、好ましくない。
【０００７】
そこで、この発明はブロック相互の緩みが生じ難い護岸・護床用プレキャストコンクリートブロックの連結構造を提供する。
【０００８】
【課題を解決するための手段】
この発明にかかる護岸・護床用プレキャストコンクリートブロックの連結構造は、請求項１に記載のように、略三角形の盤状体であって、盤面が多孔性の凹部に形成され、切頭頂部を有し、該切頭頂部にフック又はこれに類似した金具が埋設されてなるプレキャストコンクリートブロックの複数個を、それらの各辺部を接触させ、規則正しく縦横に配列して各プレキャストコンクリートブロックの切頭頂部が放射状に配置されてそれらの中心に空間部が形成されるようにし、前記空間部内において各ブロックの切頭頂部と連結する連結部材を環状に配設し、該連結部材を引き締めることで各ブロックが互いに前記空間部の中心に引き寄せられるように連結した護岸・護床用プレキャストコンクリートブロックの連結構造であって、連結部材が前記フック又はこれに類似した金具に係合するチェーンからなり、その両端部をシャックルで連結したことを特徴とする。
【０００９】
または請求項２に記載のように、略三角形の盤状体であって、盤面が多孔性の凹部に形成され、切頭頂部を有し、該切頭頂部にフック又はこれに類似した金具が埋設されてなるプレキャストコンクリートブロックの複数個を、それらの各辺部を接触させ、規則正しく縦横に配列して各プレキャストコンクリートブロックの切頭頂部が放射状に配置されてそれらの中心に空間部が形成されるようにし、前記空間部内において各ブロックの切頭頂部と連結する連結部材を環状に配設し、該連結部材を引き締めることで各ブロックが互いに前記空間部の中心に引き寄せられるように連結した護岸・護床用プレキャストコンクリートブロックの連結構造であって、連結部材が前記フック又はこれに類似した金具に係合するワイヤ又はロープからなり、その両端部をシャックルで締結したことを特徴とする。
【００１３】
したがって、各ブロックと連結部材を締結することにより、各ブロックが互いに空間部の中心に引き寄せられる力を生じ、布設された護岸・護床用プレキャストコンクリート面全体としての強度が向上し、水流による耐久性が向上する。
【００１４】
【発明の実施の形態】
図に基づきこの発明の実施の形態を説明すると、図１に示すように、河川堤防法面Ｂと河床Ｒの両方に、護岸・護床用プレキャストコンクリートブロック（以下、単にブロックと称す）１の複数個を、図２に示すように、規則正しく縦横に幾何学的に配列することによって護岸・護床構造を布設する。ブロック１は、図３に示すように、３つの切頭頂部２を有する略正三角形の盤状体で、盤面が凹部６に形成され、その凹部６は水抜き孔７，８を有する。
【００１５】
したがって、その各辺部３を互いに接触させて布設し基本的に略正六角形の布面を形成した場合、すなわち図４に示すように、６個のブロック１を放射状配置することによって正六角形の単位体４を形成した場合、その中心部に空間部５が形成される。なお、このような単位体４の複数個を連設した場合には、６つの角部９に空間部５が形成されることとなる。
【００１６】
なお、図１及び図２において、河床Ｒにはブロック１を上下二段積みに布設してその下段のブロック１内には木炭、特殊土、又はポーラスコンクリートなどの浄化剤Ｓを投入し、上段のブロック１には根固め用の自然石や砂Ｔなどを投入してある。更に、河川堤防Ｂのブロック１には凹部６内に植生土Ｕを投入して植物が生育可能なようにしてあり、植物が繁茂したときはコンクリート面が河川堤防Ｂに露出するのを防止し、また、河川堤防Ｂの所定部には植樹Ｐして環境美化に貢献できる。
【００１７】
図５及び図６に示すように、ブロック１の切頭頂部２が放射状に配置されてそれらの中心に空間部５が形成された各ブロック１の連結のために、空間部５内において各ブロック１の切頭頂部２と連結する連結部材１０を配設し、連結部材１０を引き締めることで各ブロック１が互いに空間部５の中心に引き寄せられるように連結する。連結部材１０は切頭頂部２に当接する板状体１１にボルト挿通孔１２が穿設され、かつ、その左右両側に所定長さの連結棒１３が結合されて複数の板状体１１と連結棒１３が環状に結合されている。そして、切頭頂部２の略中央部にはボルト挿通孔１２と対面するボルト挿通用の孔又は埋設したインサート８からなる接続部が埋設され、この接続部にボルト１４を挿通又は螺入して接続する。連結部材は樹脂等によって成形されたものでもよい。
【００１８】
そして、板状体１１のボルト挿通孔１２，１２間の離間距離ａは一つおきに他の離間距離ｂよりも若干短く形成する。これにより、ボルト挿通孔１２にボルト１４をワッシャー１５を介在してインサート８に螺入すると、連結部材１０が張力を生じて各切頭頂部２を空間部５の中心に引き寄せる作用が生じる。この連結部材１０は、図７に示すように、全体を帯状体で形成し、空間部５内で各切頭頂部２に当接する前記板状体１１に相当する板状部１１ａと、前記連結棒１３に相当する連結部１３ａが一体的に形成してある。また、図８に示すように、連結部材１０は直径方向でほぼ二分割された２体で構成し、直径方向の相対向する部位で２枚の板状体１１，１１が重なるようにする。なお、図９に示すように、連結部材１０とボルト１４の頭部との間に、ワッシャー１５，１５にて挟持したコイルスプリング１６を介在させてもよい。
【００１９】
図１０は各切頭頂部２にフック１７又はこれに類似した金具が埋設されてなるブロック１の連結構造を示し、各フック１７に連結部材１０としてのリングチェーン１８を係合させてシャックル１９で結合した状態を示す模式図である。このシャックル１９に代え、図１１に示すように、リングチェーン１８の両端部をワッシャー２０，２０で挟持するボルト２１をナット２２で締結する構造、又は、図１２に示すように、リングチェーン１８の両端部をリングキャッチ２３で締結する構造としてもよい。図１３は各切頭頂部２にフック１７又はこれに類似した金具に係合するワイヤ等の金属線２４又は連結ロープからなる連結部材１０の両端部をボルト２５とナット２６で締結する連結構造を示す。また、図１４は各切頭頂部２にフック１７又はこれに類似した金具に係合するワイヤ等の金属線２４又は連結ロープからなる連結部材１０の両端部をシャックル１９で締結する連結構造を示す。
【００２０】
なお、フック１７に類似した金具としては、図１５に示すように、アンカー２７を有するＵ字形の接続金具（Ａ）、インサート８にねじ込むねじ部を有するアイボルト（Ｂ）、インサート８にねじ込むねじ部を有するフック（Ｃ）、アンカー２７を有するフック（Ｄ）及びアンカー２７を有する穴開きプレート（Ｅ）及び両端部を左右に開いてアンカー２７としたＵ字形の金具（Ｆ）がある。
【００２１】
これまでの記載において、連結部材１０は一体一連のものとしたが、既に図８において２分割例を示し、かつ、図１６に示すように、セグメント型に複数に分割して形成されたものを連結して環状の連結部材１０となるようにしてもよい。図１６において、連結部材１０は複数の空間部５内の切頭頂部２の個数に相当する個数に分割した連結片３０からなり、該連結片３０は隣接する切頭頂部２，２に密接できるように、図１７（Ａ）に示すように、帯状体の両端部付近を内側へ曲げてあり、かつ、図１７（Ｂ）に示すように、一端部にボルト挿通孔３１を穿設して他端部にはボルト挿通用の長穴３２が形成されている。
【００２２】
そして、図１８はブロック１の切頭された各切頭頂部２に樹脂製の連結ロープ又はワイヤからなるループ２８が埋設されてなり、このループ２７を空間部５内においてシャックル２９でまとめて結合した連結構造を示す。この例にあっては、前例のように連結部材１０で各ブロック１を空間部５の中心に引き寄せるような力を明らかに生じさせるものとは言い難いが、ループ２８の長さを調節して空間部５の中心において緊張状態となるように設定し、その緊張状態でシャックル２９にて締結することとすれば、前例とほぼ同じような効果を発揮できる。
【００２３】
【発明の効果】
以上説明したこの発明によれば、空間部内で各切頭頂部を連結部材により空間部の中心に引き寄せる力を生じさせるように連結することによって、ブロックの相互連結が強固となり、６つの各切頭頂部が必ず互いに連結されるために、布設された護岸・護床プレキャストコンクリートブロックの、水流による局所洗掘が誘発する抑え土圧の低下又は空洞の発生による破壊、流体力によるブロックの移動・流出、流体力によるめくれ破壊、吸い出し破壊、残留水による破壊、又は、天端からの侵食破壊が生じ難くなる。
【図面の簡単な説明】
【図１】護岸・護床プレキャストコンクリートブロックの布設状態を示す河川の断面図である。
【図２】図１の平面図である。
【図３】護岸・護床プレキャストコンクリートブロックの斜視図である。
【図４】ブロック布設面の単位体を示す平面図である。
【図５】この発明にかかる連結構造の第１実施例の平面図である。
【図６】図５に示す連結部材の要部正面図である。
【図７】連結部材の他の例を示す要部正面図である。
【図８】図５に示す連結部材の他の例を示す平面図である。
【図９】この発明にかかる連結構造の第２実施例の平面図である。
【図１０】この発明にかかる連結構造の第３実施例の平面図である。
【図１１】図９に示す連結構造の結合部の他例を示す要部斜視図である。
【図１２】図９に示す連結構造の結合部の更に他例を示す要部斜視図である。
【図１３】この発明にかかる連結構造の第４実施例を示す平面図である。
【図１４】この発明にかかる連結構造の第５実施例を示す平面図である。
【図１５】（Ａ），（Ｂ），（Ｃ），（Ｄ），（Ｅ），（Ｆ）はそれぞれ第３〜第５実施例で用いるフックに代わるものの側面図である。
【図１６】この発明にかかる連結構造の第６実施例の平面図である。
【図１７】図１６に示す連結片の平面図（Ａ）及び正面図（Ｂ）である。
【図１８】この発明にかかる連結構造の第７実施例を示す平面図である。
【符号の説明】
Ｒ…河川堤防法面
Ｂ…河床
１…護岸・護床用プレキャストコンクリートブロック
２…切頭頂部
３…辺部
４…単位体
５…空間部
６…凹部
７…水抜き孔
８…インサート
１０…連結部材
１１…板状体
１２…ボルト挿通孔
１３…連結棒
１４，２１，２５…ボルト
１５…ワッシャー
１６…コイルスプリング
１７…フック
１８…リングチェーン
１９，２９…シャックル
２２，２６…ナット
２３…リングキャッチ
２４…金属線
２８…ループ
３０…連結片
【図１】
0004091699.tif 000002
【図２】
0004091699.tif 000003
【図３】
0004091699.tif 000004
【図４】
0004091699.tif 000005
【図５】
0004091699.tif 000006
【図６】
0004091699.tif 000007
【図７】
0004091699.tif 000008
【図８】
0004091699.tif 000009
【図９】
0004091699.tif 000010
【図１０】
0004091699.tif 000011
【図１１】
0004091699.tif 000012
【図１２】
0004091699.tif 000013
【図１３】
0004091699.tif 000014
【図１４】
0004091699.tif 000015
【図１５】
0004091699.tif 000016
【図１６】
0004091699.tif 000017
【図１７】
0004091699.tif 000018
【図１８】
0004091699.tif 000019